(57)【要約】  【課題】  異なる種類のＤＶＤあるいは同じ種類のＤＶＤを個々にメニュー設定し、当該ＤＶＤに順にハードディスクの情報を記録することができる機能を有する複合型記録再生装置を提供する。  【解決手段】  ディスクチェンジャー式の光ディスク装置に各種のＤＶＤに対する信号処理を行う光ディスク信号処理回路を設けることにより、各種のＤＶＤに対する記録／再生処理を可能にする。メニュー設定でディスクナンバーが指定されると、光ディスク装置を駆動させ、ロータリートレイを回転させて、前記メニュー設定で指定されたディスクナンバーのＤＶＤを記録位置に移動させる。当該ＤＶＤが記録位置に設定された後、ハードディスク装置を駆動させ、ハードディスクから情報を再生させると共に、再生された情報を、光ディスク装置を駆動させることにより前記指定のＤＶＤに記録させるダビング処理を行わせる。【選択図】      図４
2007087556.tif 000002
【特許請求の範囲】
【請求項１】
複数の光ディスクを載置できるロータリートレイを有し、このロータリートレイを回転
させて記録／再生位置に設定された光ディスクに対して情報の記録／再生を行うディスク
チェンジャー式光ディスク装置と、ハードディスクに対して情報の記録／再生を行うハー
ドディスク装置とを備えた複合型記録再生装置であって、
前記ディスクチェンジャー式光ディスク装置に各種の光ディスクに対する信号処理を行
う光ディスク信号処理回路を設けることにより、各種の光ディスクに対する記録／再生処
理を可能にし、
前記ロータリートレイに載置されメニュー設定で指定されたディスクナンバーの光ディ
スクを、前記ディスクチェンジャー式光ディスク装置を駆動させて前記ロータリートレイ
を回転させることにより記録位置に移動させる記録位置移動手段と、
前記指定されたディスクナンバーの光ディスクが記録位置に設定された後、前記ハード
ディスク装置を駆動させハードディスクから情報を再生させると共に、この再生された情
報を、前記ディスクチェンジャー式光ディスク装置を駆動させることにより前記指定の光
ディスクに記録させるダビング処理を行わせるダビング処理手段とを有することにより、
前記ハードディスクに記録された連続タイトルを順に同種の光ディスクに記録するため
のメニュー設定がされた場合、前記ハードディスクの連続タイトルを同種の光ディスクに
順に記録させる制御を行い、前記ハードディスクに記録された単一タイトルを異種の光デ
ィスクあるいは同種の光ディスクにそれぞれ記録するためのメニュー設定がされた場合、
前記ハードディスクの単一タイトルを異種の光ディスクあるいは同種の光ディスクにそれ
ぞれ記録させる制御を行うシステムコントローラを備えたことを特徴とする複合型記録再
生装置。
【請求項２】
複数の光ディスクを載置できるロータリートレイを有し、このロータリートレイを回転
させて記録／再生位置に設定された光ディスクに対して情報の記録／再生を行うディスク
チェンジャー式光ディスク装置と、ハードディスクに対して情報の記録／再生を行うハー
ドディスク装置とを備えた複合型記録再生装置であって、
前記ディスクチェンジャー式光ディスク装置に各種の光ディスクに対する信号処理を行
う光ディスク信号処理回路を設けることにより、各種の光ディスクに対する記録／再生処
理を可能にし、
前記ハードディスクに記録された連続タイトルを順に同種の光ディスクに記録するため
のメニュー設定がされた場合、前記ハードディスクの連続タイトルを同種の光ディスクに
順に記録させる制御を行い、前記ハードディスクに記録された単一タイトルを異種の光デ
ィスクあるいは同種の光ディスクにそれぞれ記録するためのメニュー設定がされた場合、
前記ハードディスクの単一タイトルを異種の光ディスクあるいは同種の光ディスクにそれ
ぞれ記録させる制御を行うシステムコントローラを備えたことを特徴とする複合型記録再
生装置。
【請求項３】
前記システムコントローラは、ロータリートレイに載置されメニュー設定で指定された
ディスクナンバーの光ディスクを、ディスクチェンジャー式光ディスク装置を駆動させて
前記ロータリートレイを回転させることにより記録位置に移動させる記録位置移動手段と
、前記指定されたディスクナンバーの光ディスクが記録位置に設定された後、ハードディ
スク装置を駆動させハードディスクから情報を再生させると共に、この再生された情報を
、前記ディスクチェンジャー式光ディスク装置を駆動させることにより前記指定の光ディ
スクに記録させるダビング処理を行わせるダビング処理手段とを有することを特徴とする
請求項２に記載の複合型記録再生装置。
【発明の詳細な説明】
【技術分野】
【０００１】
本発明は、複数の光ディスクを載置できるロータリートレイを有し、このロータリート
レイを回転させて記録／再生位置に設定された各種光ディスクに対して情報の記録／再生
を行うディスクチェンジャー式光ディスク装置と、ハードディスクに対して情報の記録／
再生を行うハードディスク装置とを備えた複合型記録再生装置に関する。
【背景技術】
【０００２】
近年、ＤＶＤ（デジタル・バーサタイル・ディスク）などの光ディスクに対して情報の
記録／再生を行う光ディスク装置や、ハードディスクに対して情報の記録／再生を行うハ
ードディスク装置が普及してきている。また、光ディスク装置とハードディスク装置とを
備えた複合型記録再生装置も普及している。また、光ディスク装置として、複数の光ディ
スクを載置できるロータリートレイを有し、このロータリートレイを回転させて記録／再
生位置に設定された光ディスクに対して情報の記録／再生を行う、所謂ディスクチェンジ
ャー式の光ディスク装置も知られている。
【０００３】
ところで、ディスクチェンジャー式の光ディスク装置では、記録すべき光ディスクをロ
ータリートレイのディスク載置部に載置して設定し、その光ディスクが、光ピックアップ
からのレーザ光が照射される記録／再生位置に来るようにロータリートレイを回転させ、
その光ディスクの位置設定を行って、その光ディスクに情報を記録させている。したがっ
て、そのようなディスクチェンジャー式光ディスク装置とハードディスク装置とを備えた
複合型記録再生装置も知られている。
【０００４】
このようなディスクチェンジャー式光ディスク装置とハードディスク装置とを備えた従
来の複合型記録再生装置においては、ハードディスクに記録された情報を光ディスクに記
録（ダビング）する場合、メニュー設定で指定された光ディスクに対してハードディスク
からの情報が記録されるようになっている。
【特許文献１】特開２００２−１８５９２６号公報
【特許文献２】特開平５−３５４１９号公報
【発明の開示】
【発明が解決しようとする課題】
【０００５】
ところで、このような複合型記録再生装置を用いてハードディスクに記録されている情
報を指定の光ディスクに記録させる場合、例えば、ハードディスクに記録されている情報
を各ＤＶＤに記録させる場合、ディスクチェンジャー式光ディスク装置のロータリートレ
イの各ディスク載置部にそれぞれＤＶＤが載置され設定されるが、このディスクチェンジ
ャー式光ディスク装置が扱える記録可能なＤＶＤの種類は全種類ではない。記録可能なＤ
ＶＤの種類としては、１回のみ記録可能なＤＶＤ＋ＲとＤＶＤ−Ｒ、記録可能で規定の回
数まで書き換え可能なＤＶＤ＋ＲＷとＤＶＤ−ＲＷとＤＶＤ−ＲＡＭがあるが、一般に、
光ディスク装置は、記録可能なＤＶＤとして扱えるのは、例えば、ＤＶＤ−ＲとＤＶＤ−
ＲＷであったり、ＤＶＤ−ＲとＤＶＤ−ＲＡＭであったりして種類が限定されている。
【０００６】
したがって、このようなディスクチェンジャー式光ディスク装置とハードディスク装置
とを備えた従来の複合型記録再生装置では、扱えるＤＶＤの種類が限定されたＤＶＤにハ
ードディスクからの情報を記録することが可能であるが、全種類のＤＶＤには記録するこ
とができないので、この装置で記録したＤＶＤを他の再生装置で再生したい場合、この再
生装置で扱っていないＤＶＤであれば、再生ができないという課題が生じる。また、従来
の複合型記録再生装置では、連続タイトルがハードディスクに記録されていた場合、その
連続タイトルをハードディスクから読み出して、ディスクチェンジャー式光ディスク装置
で指定されたＤＶＤにその連続タイトルをタイトル毎に各ＤＶＤに記録（ダビング）させ
る場合、連続記録させる機能が付いてしないので、連続タイトルのタイトル毎に記録（ダ
ビング）先のＤＶＤを指定する操作を一つのタイトルの記録が終了する度に行わなければ
ならず、ユーザにとっては操作が煩わしいという課題もあった。
【０００７】
なお、特許文献１の従来技術は、デジタル放送などのデジタル信号を記録再生可能な記
録再生装置であって、光ディスクなどのリムーバブルメディアに信号記録する場合に、ノ
ンリムーバブルなハードディスクを介して、オートチェンジャーに収容されたリムーバブ
ルメディアに信号記録を行うように構成されているが、光ディスクなどのリムーバブルメ
ディアという表現で開示されているだけで、光ディスクとしてのＤＶＤが、ＤＶＤ＋Ｒ、
ＤＶＤ−Ｒ、ＤＶＤ＋ＲＷ、ＤＶＤ−ＲＷ、ＤＶＤ−ＲＡＭなどのように異なる種類の光
ディスク（記録メディア）を個々にメニュー設定し、異なる種類の光ディスクに順に、ハ
ードディスクの情報を記録することができる機能については開示されていない。
【０００８】
また、特許文献２の従来技術２は、格納セルに格納される光ディスク媒体に対して情報
の書き込みおよび読み出しを行う光ディスクドライブと、光ディスクドライブに対して光
ディスク媒体を掛けたり外したりするアクセッサと、磁気ディスク装置からなる記憶装置
と、制御パネルと、制御部とを備え、光ディスク媒体の取り出し命令があると、目的の光
ディスク媒体の全記憶情報を記憶装置に複写し、その後は記憶装置を目的の光ディスク媒
体と見なして記憶装置にアクセスするようにしたものであり、光ディスクとしてのＤＶＤ
が、ＤＶＤ＋Ｒ、ＤＶＤ−Ｒ、ＤＶＤ＋ＲＷ、ＤＶＤ−ＲＷ、ＤＶＤ−ＲＡＭなどのよう
に異なる種類の光ディスク（記録メディア）を個々にメニュー設定し、異なる種類の光デ
ィスクに順に、ハードディスクの情報を記録することができる機能については開示されて
いない。
【０００９】
本発明は、上記のような課題を解決するためになされたもので、異なる種類の光ディス
クあるいは同じ種類の光ディスクを個々にメニュー設定し、異なる種類の光ディスクある
いは同じ種類の光ディスクに順にハードディスクの情報を記録することができる機能を有
する複合型記録再生装置を提供することを目的とする。
【課題を解決するための手段】
【００１０】
上記目的を達成するために、請求項１の発明は、複数の光ディスクを載置できるロータ
リートレイを有し、このロータリートレイを回転させて記録／再生位置に設定された光デ
ィスクに対して情報の記録／再生を行うディスクチェンジャー式光ディスク装置と、ハー
ドディスクに対して情報の記録／再生を行うハードディスク装置とを備えた複合型記録再
生装置であって、前記ディスクチェンジャー式光ディスク装置に各種の光ディスクに対す
る信号処理を行う光ディスク信号処理回路を設けることにより、各種の光ディスクに対す
る記録／再生処理を可能にし、前記ロータリートレイに載置されメニュー設定で指定され
たディスクナンバーの光ディスクを、前記ディスクチェンジャー式光ディスク装置を駆動
させて前記ロータリートレイを回転させることにより記録位置に移動させる記録位置移動
手段と、前記指定されたディスクナンバーの光ディスクが記録位置に設定された後、前記
ハードディスク装置を駆動させハードディスクから情報を再生させると共に、この再生さ
れた情報を、前記ディスクチェンジャー式光ディスク装置を駆動させることにより前記指
定の光ディスクに記録させるダビング処理を行わせるダビング処理手段とを有することに
より、前記ハードディスクに記録された連続タイトルを順に同種の光ディスクに記録する
ためのメニュー設定がされた場合、前記ハードディスクの連続タイトルを同種の光ディス
クに順に記録させる制御を行い、前記ハードディスクに記録された単一タイトルを異種の
光ディスクあるいは同種の光ディスクにそれぞれ記録するためのメニュー設定がされた場
合、前記ハードディスクの単一タイトルを異種の光ディスクあるいは同種の光ディスクに
それぞれ記録させる制御を行うシステムコントローラを備えたことを特徴とする複合型記
録再生装置を提供する。
【００１１】
この構成において、記録に用いる光ディスクを選択するため、メニュー設定でディスク
ナンバーが指定されると、記録位置移動手段は、ディスクチェンジャー式光ディスク装置
を駆動させ、ロータリートレイを回転させて、前記メニュー設定で指定されたディスクナ
ンバーの光ディスクを、記録位置に移動させる。このようにして指定された光ディスクが
記録位置に設定された後、ダビング処理手段は、ハードディスク装置を駆動させ、ハード
ディスクから情報を再生させると共に、この再生された情報を、ディスクチェンジャー式
光ディスク装置を駆動させることにより前記指定の光ディスクに記録させるダビング処理
を行わせる。
【００１２】
この後、前記メニュー設定で次に指定されたディスクナンバーの光ディスクにハードデ
ィスクからの情報を記録させるため、記録位置移動手段は、ディスクチェンジャー式光デ
ィスク装置を駆動させ、ロータリートレイを回転させて、前記メニュー設定で次に指定さ
れたディスクナンバーの光ディスクを、記録位置に移動させる。このようにして指定され
た光ディスクが記録位置に設定された後、ダビング処理手段は、ハードディスク装置を駆
動させハードディスクから情報を再生させると共に、この再生された情報を、ディスクチ
ェンジャー式光ディスク装置を駆動させることにより前記次に指定の光ディスクに記録さ
せるダビング処理を行わせる。
【００１３】
このような処理により、前記ハードディスクに記録された連続タイトルを順に同種の光
ディスクに記録するためのメニュー設定がされた場合、前記ハードディスクの連続タイト
ルが同種の光ディスクに順に記録させることができ、また、前記ハードディスクに記録さ
れた単一タイトルを異種の光ディスクあるいは同種の光ディスクにそれぞれ記録するため
のメニュー設定がされた場合、前記ハードディスクの単一タイトルが異種の光ディスクあ
るいは同種の光ディスクにそれぞれ記録させることができる。
【００１４】
この構成によれば、異なる種類の光ディスクあるいは同じ種類の光ディスクを個々にメ
ニュー設定し、異なる種類の光ディスクあるいは同じ種類の光ディスクに順にハードディ
スクの情報を記録することができる機能を実現することができ、これにより、ハードディ
スクに記録された情報を複数のバックアップまたはライブラリーが連続で作成が可能にな
り、また、この装置で記録した光ディスクを他の再生装置で再生したい場合でも、その再
生装置で再生可能な光ディスクに情報を記録できるので、汎用性が高くなり、また、連続
タイトルのタイトル毎に記録先の光ディスクを指定する操作もメニュー設定で一度に行う
ことができ、ユーザにとっては操作が簡単になる。
【００１５】
請求項２の発明は、複数の光ディスクを載置できるロータリートレイを有し、このロー
タリートレイを回転させて記録／再生位置に設定された光ディスクに対して情報の記録／
再生を行うディスクチェンジャー式光ディスク装置と、ハードディスクに対して情報の記
録／再生を行うハードディスク装置とを備えた複合型記録再生装置であって、前記ディス
クチェンジャー式光ディスク装置に各種の光ディスクに対する信号処理を行う光ディスク
信号処理回路を設けることにより、各種の光ディスクに対する記録／再生処理を可能にし
、前記ハードディスクに記録された連続タイトルを順に同種の光ディスクに記録するため
のメニュー設定がされた場合、前記ハードディスクの連続タイトルを同種の光ディスクに
順に記録させる制御を行い、前記ハードディスクに記録された単一タイトルを異種の光デ
ィスクあるいは同種の光ディスクにそれぞれ記録するためのメニュー設定がされた場合、
前記ハードディスクの単一タイトルを異種の光ディスクあるいは同種の光ディスクにそれ
ぞれ記録させる制御を行うシステムコントローラを備えたことを特徴とする複合型記録再
生装置を提供する。
【００１６】
この構成において、ハードディスクに記録された連続タイトルを順に同種の光ディスク
に記録するためのメニュー設定がされた場合、前記ハードディスクの連続タイトルが同種
の光ディスクに順に記録され、また、前記ハードディスクに記録された単一タイトルを異
種の光ディスクあるいは同種の光ディスクにそれぞれ記録するためのメニュー設定がされ
た場合、前記ハードディスクの単一タイトルが異種の光ディスクあるいは同種の光ディス
クにそれぞれ記録される。
【００１７】
この構成によれば、異なる種類の光ディスクあるいは同じ種類の光ディスクを個々にメ
ニュー設定し、異なる種類の光ディスクあるいは同じ種類の光ディスクに順にハードディ
スクの情報を記録することができる機能を実現することができ、これにより、ハードディ
スクに記録された情報を複数のバックアップまたはライブラリーが連続で作成が可能にな
り、また、この装置で記録した光ディスクを他の再生装置で再生したい場合でも、その再
生装置で再生可能な光ディスクに情報を記録できるので、汎用性が高くなり、また、連続
タイトルのタイトル毎に記録先の光ディスクを指定する操作もメニュー設定で一度に行う
ことができ、ユーザにとっては操作が簡単になる。
【００１８】
請求項３の発明では、請求項２の発明において、前記システムコントローラは、ロータ
リートレイに載置されメニュー設定で指定されたディスクナンバーの光ディスクを、ディ
スクチェンジャー式光ディスク装置を駆動させて前記ロータリートレイを回転させること
により記録位置に移動させる記録位置移動手段と、前記指定されたディスクナンバーの光
ディスクが記録位置に設定された後、ハードディスク装置を駆動させハードディスクから
情報を再生させると共に、この再生された情報を、前記ディスクチェンジャー式光ディス
ク装置を駆動させることにより前記指定の光ディスクに記録させるダビング処理を行わせ
るダビング処理手段とを有する。
【００１９】
したがって、前記システムコントローラは、記録位置移動処理およびダビング処理処理
を実現でき、これにより、異なる種類の光ディスクあるいは同じ種類の光ディスクに順に
ハードディスクの情報を記録する際の制御を行うことが可能になる。
【発明の効果】
【００２０】
以上のように本発明によれば、複数の光ディスクを載置できるロータリートレイを有し
、このロータリートレイを回転させて記録／再生位置に設定された光ディスクに対して情
報の記録／再生を行うディスクチェンジャー式光ディスク装置と、ハードディスクに対し
て情報の記録／再生を行うハードディスク装置とを備えた複合型記録再生装置であって、
前記ディスクチェンジャー式光ディスク装置に各種の光ディスクに対する信号処理を行う
光ディスク信号処理回路を設けることにより、各種の光ディスクに対する記録／再生処理
を可能にし、前記ロータリートレイに載置されメニュー設定で指定されたディスクナンバ
ーの光ディスクを、前記ディスクチェンジャー式光ディスク装置を駆動させて前記ロータ
リートレイを回転させることにより記録位置に移動させる記録位置移動手段と、前記指定
されたディスクナンバーの光ディスクが記録位置に設定された後、前記ハードディスク装
置を駆動させハードディスクから情報を再生させると共に、この再生された情報を、前記
ディスクチェンジャー式光ディスク装置を駆動させることにより前記指定の光ディスクに
記録させるダビング処理を行わせるダビング処理手段とを有することにより、前記ハード
ディスクに記録された連続タイトルを順に同種の光ディスクに記録するためのメニュー設
定がされた場合、前記ハードディスクの連続タイトルを同種の光ディスクに順に記録させ
る制御を行い、前記ハードディスクに記録された単一タイトルを異種の光ディスクあるい
は同種の光ディスクにそれぞれ記録するためのメニュー設定がされた場合、前記ハードデ
ィスクの単一タイトルを異種の光ディスクあるいは同種の光ディスクにそれぞれ記録させ
る制御を行うシステムコントローラを備えたので、異なる種類の光ディスクあるいは同じ
種類の光ディスクを個々にメニュー設定し、異なる種類の光ディスクあるいは同じ種類の
光ディスクに順にハードディスクの情報を記録することができる機能を実現することがで
き、これにより、ハードディスクに記録された情報を複数のバックアップまたはライブラ
リーが連続で作成が可能になり、また、この装置で記録した光ディスクを他の再生装置で
再生したい場合でも、その再生装置で再生可能な光ディスクに情報を記録できるので、汎
用性が高くなり、また、連続タイトルのタイトル毎に記録先の光ディスクを指定する操作
もメニュー設定で一度に行うことができ、ユーザにとっては操作が簡単になる。
【００２１】
また、本発明によれば、複数の光ディスクを載置できるロータリートレイを有し、この
ロータリートレイを回転させて記録／再生位置に設定された光ディスクに対して情報の記
録／再生を行うディスクチェンジャー式光ディスク装置と、ハードディスクに対して情報
の記録／再生を行うハードディスク装置とを備えた複合型記録再生装置であって、前記デ
ィスクチェンジャー式光ディスク装置に各種の光ディスクに対する信号処理を行う光ディ
スク信号処理回路を設けることにより、各種の光ディスクに対する記録／再生処理を可能
にし、前記ハードディスクに記録された連続タイトルを順に同種の光ディスクに記録する
ためのメニュー設定がされた場合、前記ハードディスクの連続タイトルを同種の光ディス
クに順に記録させる制御を行い、前記ハードディスクに記録された単一タイトルを異種の
光ディスクあるいは同種の光ディスクにそれぞれ記録するためのメニュー設定がされた場
合、前記ハードディスクの単一タイトルを異種の光ディスクあるいは同種の光ディスクに
それぞれ記録させる制御を行うシステムコントローラを備えたので、異なる種類の光ディ
スクあるいは同じ種類の光ディスクを個々にメニュー設定し、異なる種類の光ディスクあ
るいは同じ種類の光ディスクに順にハードディスクの情報を記録することができる機能を
実現することができ、これにより、ハードディスクに記録された情報を複数のバックアッ
プまたはライブラリーが連続で作成が可能になり、また、この装置で記録した光ディスク
を他の再生装置で再生したい場合でも、その再生装置で再生可能な光ディスクに情報を記
録できるので、汎用性が高くなり、また、連続タイトルのタイトル毎に記録先の光ディス
クを指定する操作もメニュー設定で一度に行うことができ、ユーザにとっては操作が簡単
になる。
【発明を実施するための最良の形態】
【００２２】
以下、添付図面を参照しつつ、本発明の実施の形態について説明する。図１は本発明の
一実施形態に係る複合型記録再生装置の構成を示すブロック図である。
【００２３】
この複合型記録再生装置１は、ＤＶＤなどの光ディスク１３に対して情報の記録／再生
を行うＤＶＤレコーダであるディスクチェンジャー式光ディスク装置２と、ＨＤ（ハード
ディスク）１４に対して情報の記録／再生を行うハードディスク装置（ＨＤＤ；ハードデ
ィスクドライブ）３と、図示しないアンテナからのテレビ放送信号を受信し、所望のチャ
ンネルのテレビ放送信号を選択して映像音声信号として出力するチューナ４と、ディスク
チェンジャー式光ディスク装置２またはハードディスク装置３またはチューナ４から出力
された映像音声信号を復号するデコーダ５と、チューナ４が受信可能な放送チャンネルを
記憶すると共にシステムコントローラ１０の動作に必要なプログラムなどを記憶するフラ
ッシュＲＯＭ６と、デコーダ５で復号された映像信号をモニタ装置（テレビ受信機など）
１２で表示可能な映像信号に変換する映像出力部７と、デコーダ５で復号された音声信号
をモニタ装置１２で出力可能な音声信号に変換する音声出力部８と、リモコン１１から送
信された赤外光の各種の指令信号を受信し、受信した赤外光の指令信号を電気信号の指令
信号に変換し、この指令信号をシステムコントローラ１０に入力するリモコン受信部９と
、装置全体を制御する前記システムコントローラ１０とを備えている。
【００２４】
なお、ディスクチェンジャー式光ディスク装置２は、複数の光ディスクを載置できるロ
ータリートレイを有し、このロータリートレイを回転させて記録／再生位置に設定された
各種光ディスクに対して情報の記録／再生を行うディスクチェンジャー付きのＤＶＤレコ
ーダである。
【００２５】
システムコントローラ１０は、本実施形態の特徴として、ロータリートレイに載置され
、メニュー設定で指定されたディスクナンバーの光ディスクを、ディスクチェンジャー式
光ディスク装置２を駆動させてロータリートレイを回転させることにより記録位置に移動
させる記録位置移動手段１０１と、前記指定されたディスクナンバーの光ディスクが記録
位置に設定された後、ハードディスク装置３を駆動させＨＤ１４から情報を再生させると
共に、この再生された情報を、ディスクチェンジャー式光ディスク装置２を駆動させるこ
とにより前記指定の光ディスクに記録させるダビング処理を行わせるダビング処理手段１
０２とを有することにより、ＨＤ１４に記録された連続タイトルを順に同種の光ディスク
に記録するためのメニュー設定がされた場合、ＨＤ１４の連続タイトルを同種の光ディス
クに順に記録させる制御を行い、ＨＤ１４に記録された単一タイトルを異種の光ディスク
あるいは同種の光ディスクにそれぞれ記録するためのメニュー設定がされた場合、前記ハ
ードディスクの単一タイトルを異種の光ディスクあるいは同種の光ディスクにそれぞれ記
録させる制御を行う。
【００２６】
図２は本実施形態のディスクチェンジャー式光ディスク装置に備えられるディスクドラ
イブ部の構成を示すブロック図である。このディスクドライブ部は、円周方向に例えば５
個の光ディスクを載置できるディスク載置部を有するロータリートレイ３０と、このロー
タリートレイ３０のディスク載置部に載置された光ディスクが記録／再生位置にある光デ
ィスク１３を、モータ軸２９を介して回転させるスピンドルモータ２８と、光ディスク１
３の記録面に対してレーザ光を光学レンズ２５ａを介して照射すると共に、光ディスク１
３の記録面からの反射光を光学レンズ２５ａを介して受光することにより、光ディスク１
３への情報の書き込み／読み出しを光学的に行う光ピックアップ２５と、この光ピックア
ップ２５が固定され光ピックアップ２５を光ディスク１３の半径方向に移動させるための
スレッド２６と、このスレッド２６を駆動させるためのステッピングモータ２７とを備え
ている。
【００２７】
また、このディスクドライブ部は、記録再生アンプ２０、光ディスク信号処理回路２１
、ＡＴＡＰＩ処理回路２２、光ピックアップ制御回路２３、およびマイコン２４を備えて
いる。これらの構成要素の詳細については、次の動作説明で述べる。特に、光ディスク信
号処理回路２１は、ディスクチェンジャー式光ディスク装置２のロータリートレイ３０の
ディスク載置部に載置され設定された各種の光ディスクに対して信号処理を行うことがで
きる機能も有している。
【００２８】
先ず、サーボ制御について説明する。光ディスク１３はスピンドルモータ２８によって
回転制御される一方、ステッピングモータ２７の制御により、スレッド２６が移動し、こ
れに伴って光ピックアップ２５が移動することで、光ディスク１３上の書き込み位置もし
くは読み出し位置がほぼ決定される。更に、光ピックアップ２５内部の制御機能により細
やかな位置制御が行われる。記録時および再生時には、光ディスク１３からの反射光が、
光学レンズ２５ａを通じて入射され、光ピックアップ２５で読み取られて電気信号に変換
され、この電気信号は、記録再生アンプ２０で増幅された後、光ピップアップ制御回路２
３に入力され、この光ピックアップ制御回路２３からの制御信号に従ってステッピングモ
ータ２７に対してフィードバック制御をかけるようになっている。
【００２９】
次に、記録／再生時の動作について説明する。記録時は、入出力端子１９から入力され
た記録情報（ＭＰＥＧストリーム）は、ＡＴＡＰＩ処理回路２２で処理された後、光ディ
スク信号処理回路２１で記録信号に変換される。そして、その記録信号は、記録再生アン
プ２０を介して光ピックアップ２５に入力され、これにより、レーザ光が光学レンズ２５
ａを通じて光ディスク１３の記録面に照射され、光ディスク１３に前記記録情報が記録さ
れる。
【００３０】
再生時は、光ディスク１３からの反射光が、光学レンズ２５ａで受光した光ピックアッ
プ２５で読み取られて電気信号に変換された後、その電気信号は記録再生アンプ２０で増
幅される。そして、増幅された電気信号は、光ディスク信号処理回路２１でＭＰＥＧのス
トリームに戻され、ＡＴＡＰＩ処理回路２２を介して入出力端子１９に出力される。マイ
コン２４は、ＡＴＡＰＩ処理回路２２、光ディスク信号処理回路２１、および光ピックア
ップ制御回路２３を制御する。
【００３１】
図３は本実施形態においてディスクチェンジャートレイの簡略化した平面図である。図
３において、トレイ３１の上側には、光ディスクが載置されて設定される５個のディスク
載置部３０１〜３０５が円周方向に一定間隔を置いて配置されたカルーセル型のロータリ
ートレイ３０が配設されている。トレイ３１は、装置本体の前面に対して前後方向に移動
し、それに伴って、ロータリートレイ３０も前後方向に移動する。ロータリートレイ３０
の下側には、光ピックアップ２５が図示しないチャッキング機構によって上下移動可能に
配設されている。
【００３２】
図４および図５は本実施形態においてハードディスクに記録された情報を指定した光デ
ィスクに記録する処理を説明するためのフローチャートである。このフローチャートおよ
び図１〜図３を参照してハードディスクに記録された情報を指定した光ディスクに記録す
る処理について説明する。
【００３３】
先ず、複合型記録再生装置１において、リモコン１１を操作してトレイ３１をオープン
することによりロータリートレイ３０を引き出し、ディスク載置部３０１〜３０５に光デ
ィスク（この場合ＤＶＤ）を載置した後、再びリモコン１１を操作してトレイ３１をクロ
ーズすることによりロータリートレイ３０を装置に収納する。
【００３４】
そして、リモコン１１を操作して、ＤＶＤを指定するためのメニュー画面をモニタ装置
１２に表示させ、記録に用いるＤＶＤを選択するため、このＤＶＤが載置されたディスク
載置部のナンバー（ディスクナンバー）を指定する。これにより、システムコントローラ
１０は、メニュー設定で記録すべきＤＶＤが指定されたことを検出した（ステップＳ１）
後、システムコントローラ１０の記録位置移動手段１０１は、ディスクチェンジャー式光
ディスク装置２を駆動させ、図示しないトレイモータを回転させることによりロータリー
トレイ３０を回転させて、前記メニュー設定で指定されたディスクナンバーのＤＶＤを、
記録位置に移動させる。即ち、光ピックアップ２５からのレーザ光を受光できる位置（記
録位置）に、前記メニュー設定で指定されたディスクナンバーのＤＶＤを設定する。
【００３５】
このようにして指定されたＤＶＤが記録位置に設定された後、システムコントローラ２
２のダビング処理手段１０２は、ハードディスク装置３を駆動させＨＤ１４から情報を再
生させると共に、ディスクチェンジャー式光ディスク装置２を駆動させることによりハー
ドディスクからの再生情報を前記指定のＤＶＤに記録させるダビング処理を行わせる（ス
テップＳ３）。そして、システムコントローラ１０は、指定ＤＶＤへの記録時間分の情報
の記録が完了したことを検知すると（ステップＳ４）、ハードディスク装置３に対してＨ
Ｄ１４の再生動作を停止させると共に、ディスクチェンジャー式光ディスク装置２に対し
て前記指定のＤＶＤの記録動作を停止させる（ステップＳ５）。
【００３６】
この後、前記メニュー設定で次に指定されたディスクナンバーのＤＶＤにＨＤ１４から
の情報を記録させるため、システムコントローラ１０の記録位置移動手段１０１は、ディ
スクチェンジャー式光ディスク装置２を駆動させ、図示しないトレイモータを回転させる
ことによりロータリートレイ３０を回転させて、前記メニュー設定で次に指定されたディ
スクナンバーのＤＶＤを、記録位置に移動させる（ステップＳ６）。
【００３７】
このようにして指定されたＤＶＤが記録位置に設定された後、システムコントローラ２
２のダビング処理手段１０２は、ハードディスク装置３を駆動させＨＤ１４から情報を再
生させると共に、ディスクチェンジャー式光ディスク装置２を駆動させることによりハー
ドディスクからの再生情報を前記次に指定のＤＶＤに記録させるダビング処理を行わせる
（ステップＳ７）。そして、システムコントローラ１０は、前記次に指定のＤＶＤへの記
録時間分の情報の記録が完了したことを検知すると（ステップＳ８）、ハードディスク装
置３に対してＨＤ１４の再生動作を停止させると共に、ディスクチェンジャー式光ディス
ク装置２に対して前記次に指定のＤＶＤの記録動作を停止させる（ステップＳ９）。そし
て、指定ＤＶＤへの記録が終了すれば（ステップＳ１０）は、本処理は終える。
【００３８】
図５は、図４中のステップＳ１の処理においてメニュー設定で記録すべきＤＶＤを指定
する場合に、ＨＤ１４に記録された連続タイトルＴ１，Ｔ２を順に同種のＤＶＤに記録す
るメニュー設定が行われた場合（ステップＳ１ａ）と、ＨＤ１４に記録された単一のタイ
トルＴを異種のＤＶＤにそれぞれ記録するメニュー設定が行われた場合（ステップＳ１ｂ
）とを説明するためのフローチャートである。なお、ステップＳ１ａまたはステップＳ１
ｂよりも以降の処理については、図４のフローチャートのステップＳ２以下の処理を用い
るので、図５のフローチャートでは図示を省略している。
【００３９】
図５および図４のフローチャートを参照して、ステップＳ１ａでメニュー設定された場
合の処理と、ステップＳ１ｂでメニュー設定された場合の処理について説明する。
【００４０】
先ず、ＨＤ１４に記録された連続タイトルＴ１，Ｔ２を順に同種のＤＶＤに記録するメ
ニュー設定が行われた場合について説明する。ＤＶＤの種類としては、１回のみ記録可能
なＤＶＤ＋ＲとＤＶＤ−Ｒ、記録可能で規定の回数まで書き換え可能なＤＶＤ＋ＲＷとＤ
ＶＤ−ＲＷとＤＶＤ−ＲＡＭがあるが、ここでは、連続タイトルＴ１，Ｔ２を順に記録す
る同種のＤＶＤとしては、ＤＶＤ＋Ｒを用いることにする。したがって、図３で示すロー
タリートレイ３０上のディスク載置部３０２（ディスクナンバー２）とディスク載置部３
０４（ディスクナンバー４）には、ＤＶＤ＋Ｒがそれぞれ載置され設定されているものと
する。
【００４１】
このようなメニュー設定で記録すべきＤＶＤとして、ディスク載置部３０２（ディスク
ナンバー２）のＤＶＤ＋Ｒと、ディスク載置部３０４（ディスクナンバー４）のＤＶＤ＋
Ｒとが指定されると（図４のステップＳ１）、システムコントローラ１０の記録位置移動
手段１０１は、ディスクチェンジャー式光ディスク装置２を駆動させ、図示しないトレイ
モータを回転させることによりロータリートレイ３０を回転させて、前記メニュー設定で
指定されたディスクナンバー２のＤＶＤ＋Ｒを、記録位置に移動させる。即ち、光ピック
アップ２５からのレーザ光を受光できる位置（記録位置）に、前記メニュー設定で指定さ
れたディスクナンバー２のＤＶＤ＋Ｒを設定する。
【００４２】
このようにして指定されたディスク載置部３０２上のディスクナンバー２のＤＶＤ＋Ｒ
が記録位置に設定された後、システムコントローラ２２のダビング処理手段１０２は、ハ
ードディスク装置３を駆動させＨＤ１４からタイトルＴ１の情報を再生させると共に、デ
ィスクチェンジャー式光ディスク装置２を駆動させることにより前記再生されたタイトル
Ｔ１の情報を前記指定のＤＶＤ＋Ｒに記録させるダビング処理を行わせる（ステップＳ３
）。そして、システムコントローラ１０は、指定ＤＶＤ＋Ｒへの記録時間分のタイトルＴ
１の情報の記録が完了したことを検知すると（ステップＳ４）、ハードディスク装置３に
対してＨＤ１４の再生動作を停止させると共に、ディスクチェンジャー式光ディスク装置
２に対して前記指定のＤＶＤ＋Ｒの記録動作を停止させる（ステップＳ５）。
【００４３】
この後、前記メニュー設定で次に指定されたディスク載置部３０４のディスクナンバー
４のＤＶＤ＋ＲにＨＤ１４からのタイトルＴ２の情報を記録させるため、システムコント
ローラ１０の記録位置移動手段１０１は、ディスクチェンジャー式光ディスク装置２を駆
動させ、図示しないトレイモータを回転させることによりロータリートレイ３０を回転さ
せて、前記メニュー設定で次に指定されたディスク載置部３０４のディスクナンバー４の
ＤＶＤ＋Ｒを、記録位置に移動させる（ステップＳ６）。
【００４４】
このようにして次に指定されたＤＶＤ＋Ｒが記録位置に設定された後、システムコント
ローラ２２のダビング処理手段１０２は、ハードディスク装置３を駆動させＨＤ１４から
タイトルＴ２の情報を再生させると共に、ディスクチェンジャー式光ディスク装置２を駆
動させることにより前記再生されたタイトルＴ２の情報を前記次に指定のＤＶＤ＋Ｒに記
録させるダビング処理を行わせる（ステップＳ７）。そして、システムコントローラ１０
は、前記次に指定のＤＶＤ＋Ｒへの記録時間分のタイトルＴ２の情報の記録が完了したこ
とを検知すると（ステップＳ８）、ハードディスク装置３に対してＨＤ１４の再生動作を
停止させると共に、ディスクチェンジャー式光ディスク装置２に対して前記次に指定のＤ
ＶＤ＋Ｒの記録動作を停止させる（ステップＳ９）。そして、全ＤＶＤへの記録が終了す
れば（ステップＳ１０）、本処理は終える。
【００４５】
なお、ここでは、同種のＤＶＤとして、ＤＶＤ＋Ｒを例に挙げたが、ＤＶＤ−Ｒ、ＤＶ
Ｄ−ＲＷ、ＤＶＤ＋ＲＷ、ＤＶＤ−ＲＡＭであっても良い。また、連続タイトルは２個の
場合を示したが、この実施形態では、ロータリートレイ３０に載置されるＤＶＤは５枚ま
で可能であるので、連続タイトルが５個まで同種の５枚のＤＶＤに順次記録することが可
能になる。
【００４６】
次に、ＨＤ１４に記録された単一タイトルＴを異種のＤＶＤに記録するメニュー設定が
行われた場合について説明する。ここで用いるＤＶＤは、ＤＶＤ＋Ｒ、ＤＶＤ−ＲＷ、Ｄ
ＶＤ＋ＲＷ、ＤＶＤ−ＲＡＭ、ＤＶＤ−Ｒとし、単一タイトルＴをそれらのＤＶＤに記録
するため、図３で示すロータリートレイ３０上のディスク載置部３０１（ディスクナンバ
ー１）にＤＶＤ＋Ｒ、ディスク載置部３０２（ディスクナンバー２）にＤＶＤ−ＲＷ、デ
ィスク載置部３０３（ディスクナンバー３）にＤＶＤ＋ＲＷ、ディスク載置部３０４（デ
ィスクナンバー４）にＤＶＤ−ＲＡＭ、ディスク載置部３０５（ディスクナンバー５）に
ＤＶＤ−Ｒが、それぞれ載置され設定されているものとする。
【００４７】
このようなメニュー設定で記録すべきＤＶＤとして、ロータリートレイ３０上のＤＶＤ
＋Ｒ、ＤＶＤ−ＲＷ、ＤＶＤ＋ＲＷ、ＤＶＤ−ＲＡＭ、ＤＶＤ−Ｒが指定されると（図４
のステップＳ１）、システムコントローラ１０の記録位置移動手段１０１は、ディスクチ
ェンジャー式光ディスク装置２を駆動させ、図示しないトレイモータを回転させることに
よりロータリートレイ３０を回転させて、前記メニュー設定で指定されたディスク載置部
３０１上のディスクナンバー１のＤＶＤ＋Ｒを記録位置に移動させる。
【００４８】
このようにして指定されたディスク載置部３０１上のディスクナンバー１のＤＶＤ＋Ｒ
が記録位置に設定された後、システムコントローラ２２のダビング処理手段１０２は、ハ
ードディスク装置３を駆動させＨＤ１４からタイトルＴの情報を再生させると共に、ディ
スクチェンジャー式光ディスク装置２を駆動させることにより前記再生されたタイトルＴ
の情報を前記指定のＤＶＤ＋Ｒに記録させるダビング処理を行わせる（ステップＳ３）。
そして、システムコントローラ１０は、指定ＤＶＤ＋Ｒへの記録時間分のタイトルＴの情
報の記録が完了したことを検知すると（ステップＳ４）、ハードディスク装置３に対して
ＨＤ１４の再生動作を停止させると共に、ディスクチェンジャー式光ディスク装置２に対
して前記指定のＤＶＤ＋Ｒの記録動作を停止させる（ステップＳ５）。
【００４９】
この後、前記メニュー設定で次に指定されたディスク載置部３０２のディスクナンバー
２のＤＶＤ−ＲＷに同じくＨＤ１４からのタイトルＴの情報を記録させるため、システム
コントローラ１０の記録位置移動手段１０１は、ディスクチェンジャー式光ディスク装置
２を駆動させ、図示しないトレイモータを回転させることによりロータリートレイ３０を
回転させて、前記メニュー設定で次に指定されたディスク載置部３０２のディスクナンバ
ー２のＤＶＤ−ＲＷを記録位置に移動させる（ステップＳ６）。
【００５０】
前記ＤＶＤ−ＲＷが記録位置に設定された後、システムコントローラ２２のダビング処
理手段１０２は、ハードディスク装置３を駆動させＨＤ１４からタイトルＴの情報を再生
させると共に、ディスクチェンジャー式光ディスク装置２を駆動させることにより前記再
生されたタイトルＴの情報を前記ＤＶＤ−ＲＷに記録させるダビング処理を行わせる（ス
テップＳ７）。そして、システムコントローラ１０は、前記ＤＶＤ−ＲＷへの記録時間分
のタイトルＴの情報の記録が完了したことを検知すると（ステップＳ８）、ハードディス
ク装置３に対してＨＤ１４の再生動作を停止させると共に、ディスクチェンジャー式光デ
ィスク装置２に対して前記ＤＶＤ−ＲＷの記録動作を停止させる（ステップＳ９）。
【００５１】
同様に、更に次に指定されたディスク載置部３０３のディスクナンバー３のＤＶＤ＋Ｒ
Ｗが記録位置に設定された後（ステップＳ６）、システムコントローラ２２のダビング処
理手段１０２は、ハードディスク装置３を駆動させＨＤ１４からタイトルＴの情報を再生
させると共に、ディスクチェンジャー式光ディスク装置２を駆動させることにより前記再
生されたタイトルＴの情報を前記ＤＶＤ＋ＲＷに記録させるダビング処理を行わせる（ス
テップＳ７）。そして、システムコントローラ１０は、前記ＤＶＤ＋ＲＷへの記録時間分
のタイトルＴの情報の記録が完了したことを検知すると（ステップＳ８）、ハードディス
ク装置３に対してＨＤ１４の再生動作を停止させると共に、ディスクチェンジャー式光デ
ィスク装置２に対して前記次に指定のＤＶＤ＋ＲＷの記録動作を停止させる（ステップＳ
９）。
【００５２】
また、同様に、次に指定されたディスク載置部３０４のディスクナンバー４のＤＶＤ−
ＲＡＭが記録位置に設定された後（ステップＳ６）、システムコントローラ２２のダビン
グ処理手段１０２は、ハードディスク装置３を駆動させＨＤ１４からタイトルＴの情報を
再生させると共に、ディスクチェンジャー式光ディスク装置２を駆動させることにより前
記再生されたタイトルＴの情報を前記ＤＶＤ−ＲＡＭに記録させるダビング処理を行わせ
る（ステップＳ７）。そして、システムコントローラ１０は、前記ＤＶＤ−ＲＡＭへの記
録時間分のタイトルＴの情報の記録が完了したことを検知すると（ステップＳ８）、ハー
ドディスク装置３に対してＨＤ１４の再生動作を停止させると共に、ディスクチェンジャ
ー式光ディスク装置２に対して前記ＤＶＤ−ＲＡＭの記録動作を停止させる（ステップＳ
９）。
【００５３】
また、同様に、更に次に指定されたディスク載置部３０５のディスクナンバー５のＤＶ
Ｄ−Ｒが記録位置に設定された後（ステップＳ６）、システムコントローラ２２のダビン
グ処理手段１０２は、ハードディスク装置３を駆動させＨＤ１４からタイトルＴの情報を
再生させると共に、ディスクチェンジャー式光ディスク装置２を駆動させることにより前
記再生されたタイトルＴの情報を前記ＤＶＤ−Ｒに記録させるダビング処理を行わせる（
ステップＳ７）。そして、システムコントローラ１０は、前記ＤＶＤ−Ｒへの記録時間分
のタイトルＴの情報の記録が完了したことを検知すると（ステップＳ８）、ハードディス
ク装置３に対してＨＤ１４の再生動作を停止させると共に、ディスクチェンジャー式光デ
ィスク装置２に対して前記ＤＶＤ−Ｒの記録動作を停止させる（ステップＳ９）。
【００５４】
以上のように、ＨＤ１４に記録されている単一のタイトルＴは、異種のＤＶＤであるＤ
ＶＤ＋Ｒ、ＤＶＤ−ＲＷ、ＤＶＤ＋ＲＷ、ＤＶＤ−ＲＡＭ、ＤＶＤ−Ｒにそれぞれ記録（
ダビング）されることになる。
【００５５】
なお、以上の処理は、ＨＤ１４からの単一のタイトルＴを複数の異種のＤＶＤに記録さ
せたが、単一のタイトルＴを複数の同種のＤＶＤに記録させる場合も、同様な処理により
行うことができる。
【００５６】
以上説明したように本実施形態によれば、異なる種類のＤＶＤあるいは同じ種類のＤＶ
Ｄを個々にメニュー設定し、異なる種類のＤＶＤあるいは同じ種類のＤＶＤに順にハード
ディスクの情報を記録することができる機能を実現することができ、これにより、ハード
ディスクに記録された情報を複数のバックアップまたはライブラリーが連続で作成が可能
になり、また、この装置で記録したＤＶＤを他の再生装置で再生したい場合でも、その再
生装置で再生可能なＤＶＤに情報を記録できるので、汎用性が高くなり、また、連続タイ
トルのタイトル毎に記録先のＤＶＤを指定する操作もメニュー設定で一度に行うことがで
き、ユーザにとっては操作が簡単になる。
【図面の簡単な説明】
【００５７】
【図１】本発明の一実施形態に係る複合型記録再生装置の構成を示すブロック図である。
【図２】前記実施形態のディスクチェンジャー式光ディスク装置に備えられるディスクドライブ部の構成を示すブロック図である。
【図３】前記実施形態においてディスクチェンジャートレイの簡略化した平面図である。
【図４】前記実施形態においてハードディスクに記録された情報を指定した光ディスクに記録する処理を説明するためのフローチャートである。
【図５】前記実施形態においてハードディスクに記録された情報を指定した光ディスクに記録する処理を説明するためのフローチャートである。
【符号の説明】
【００５８】
１    複合型記録再生装置
２    ディスクチェンジャー式光ディスク装置
３    ハードディスク装置
１０    システムコントローラ
１４    ハードディスク
２１    光ディスク信号処理回路
１０１    記録位置移動手段
１０２    ダビング処理手段
【図１】
2007087556.tif 000003
【図２】
2007087556.tif 000004
【図３】
2007087556.tif 000005
【図４】
2007087556.tif 000006
【図５】
2007087556.tif 000007